(57)【要約】【課題】  小型小径かつ高いフリクショントルクを得ることができるチルトヒンジを提供する。【解決手段】    シャフト２を収納するケース部材１と、シャフト２と、スプリングピン３とによって構成され、シャフト２の表面に、回転軸方向からスプリングピン３を押入するためのスプリングピン押入溝２ｂが配設された構成とする。スプリングピン押入溝２ｂに対応する径のスプリングピン３を押入することによって、シャフト２をケース部材１に圧接した状態となり、スプリングピン３の仕様に応じたフリクショントルクが発生する。【選択図】  図２
2007107690.tif 000002
【特許請求の範囲】
【請求項１】
少なくとも、回動側部材への取付手段を備えたシャフトと、該シャフトを収納するケース部材と、所定長のスプリングピンとによって構成されるチルトヒンジであって、
前記シャフトの外周面に、回転軸方向から前記スプリングピンを押入するためのスプリングピン押入溝が配設され、
前記スプリングピン押入溝に対応する径のスプリングピンを押入して、前記ケース部材に前記シャフトを圧接した状態に保持し、フリクショントルクを発生可能としたこと、
を特徴とするチルトヒンジ。
【請求項２】
更に、前記ケース部材内周面に、回転軸方向に延在するクリック溝を配設したこと、
を特徴とする請求項１に記載のチルトヒンジ。
【請求項３】
更に、前記ケース部材内周面に、回転軸方向に延在し、前記内周面より窪んだ傾斜面を有する凹部を形成し、フリクショントルクが漸増ないし漸減する区間を設けたこと、
を特徴とする請求項１又は２に記載のチルトヒンジ。
【請求項４】
前記スプリングピンの内側中空部に、前記スプリングピンを付勢する第２のスプリングピンを押入したこと、
を特徴とする請求項１ないし３のいずれか一に記載のチルトヒンジ。
【請求項５】
前記シャフトの外周面に潤滑油貯溜用の溝を設けたこと、
を特徴とする請求項１ないし４のいずれか一に記載のチルトヒンジ。
【請求項６】
前記シャフトの端部にオイルシール用の周溝を設けるとともに、前記周溝にシール部材を嵌装したこと、
を特徴とする請求項１ないし５のいずれか一に記載のチルトヒンジ。
【請求項７】
請求項１ないし６のいずれか一に記載のチルトヒンジを備えた表示装置。
【発明の詳細な説明】
【技術分野】
【０００１】
この発明は、チルトヒンジ及びこのチルトヒンジを含んだ表示装置に関し、特に、回動抵抗の発生手段としてスプリングピンを用いたチルトヒンジ及び表示装置に関する。
【背景技術】
【０００２】
近年、テレビジョン装置、ノート型パーソナルコンピュータや携帯電話機の一層の薄型化が求められており、これら表示装置を備えた機器に用いるチルトヒンジも小型化した上で、使用箇所に応じたフリクショントルクを奏出できるものが求められている。
【０００３】
実開平６−７３２８０号公報には、スプリングピンをシャフト外周に収納するタイプのチルトヒンジが紹介されている。図８〜図１０は、それぞれその分解斜視図、径方向断面図、軸方向断面図であり、取付部材１１６に一端部を固着した筒体１１７に、支持部材１１８の一端部を固着した回転シャフト１１９を軸挿させるとともに、筒体１１７の内側にスプリングピン１２０の収納孔を設けて、スプリングピン１２０を収納し、任意の回転角度で停止保持できる構成のチルトヒンジが開示されている。また、図８〜図１０の構成によれば、回転シャフト１１９がワッシャ１２１を介してかしめられているため、より大きなフリクショントルクが得られる構成となっている。更に同公報には、回転シャフト１１９にＤカット部や溝を設けることで、回動時の抵抗を無くしたり、所定位置でクリックを発生させたりすることのできる構成が開示されている。
【０００４】
その他スプリングピンを用いたチルトヒンジとして、特開２０００−６６７６２号公報に記載のものが知られている。図１１は、その分解斜視図であり、取付部材１０２と支持部材１０３にそれぞれフリクショントルク発生孔を穿ち、スプリングピン１０１を圧入可能とし、前記フリクショントルク発生孔の内周と前記スプリングピンの外周との間にフリクショントルクが発生する構成となっている。
【０００５】
【特許文献１】実開平６−７３２８０号公報
【特許文献２】特開２０００−６６７６２号公報
【発明の開示】
【発明が解決しようとする課題】
【０００６】
特許文献１のチルトヒンジによれば、安定したフリクショントルクを得ることが可能となるが、筒体（ケース）側にスプリングピンの収納スペースを確保する必要から、小径化が難しいという問題点がある。また、上記スプリングピンの収納スペースを精度よく造り込む必要もあり、加工やコストの面で難があるといえる。更には、部品点数の関係からスプリングピンの数が制限される場合、例えば、スプリングピンを一本のみとすると、同文献の図５、図１０からも明らかなように、肉厚にしたケースに多くのデッドスペースが生じてしまう。
【０００７】
一方、特許文献２のチルトヒンジでは、特許文献１のように、シャフト端部をかしめることによる強力なフリクショントルクの実現や、シャフトの形状を変えることによるフリクショントルクの調整・所定の角度への誘導・基準位置への復帰等の機能を付加することが難しいという問題点がある。
【０００８】
本発明は、上記した各事情に鑑みてなされたものであって、その目的とするところは、目的・用途に応じた特性のフリクショントルクを発生可能とするとともに、シャフト、ケース、スプリングピンを用いた構成のケース外径を抑えることを可能なチルトヒンジを提供することにある。
【課題を解決するための手段】
【０００９】
本発明の第１の視点によれば、少なくとも、回動側部材への取付手段を備えたシャフトと、該シャフトを収納するケース部材と、所定長のスプリングピンとによって構成されるチルトヒンジであって、前記シャフトの外周面に、回転軸方向から前記スプリングピンを押入するためのスプリングピン押入溝が配設され、前記スプリングピン押入溝に対応する径のスプリングピンを押入して、前記ケース部材に前記シャフトを圧接した状態に保持し、前記スプリングピンの仕様に応じたフリクショントルクを発生可能としたこと、を特徴とするチルトヒンジとが提供される。
【発明の効果】
【００１０】
上記した構成よりなる本発明によれば、ケース部材の径を大きくすることなく、所望のフリクショントルクを実現することが可能となる。その理由は、シャフト側にフリクション調節用のスプリングピンを配置するコンパクトな構成としたことにある。
【発明を実施するための最良の形態】
【００１１】
続いて、本発明を実施するための最良の形態について、図面を参照して詳細に説明する。図１は、本発明の第１の実施形態に係るチルトヒンジの分解斜視図である。図１を参照すると、本実施形態に係るチルトヒンジは、その最小構成において、ケース１と、シャフト２と、スプリングピン３とにより実現することができる。
【００１２】
ケース１は、シャフト２を収納するための筒状部材である。ケース１の両端には、表示装置の非回動側の部材、例えば、ノート型パーソナルコンピュータのキーボード側筐体に取り付けるための切り欠き部１ｂ（各４箇所）が設けられている。
【００１３】
シャフト２は、ケース１の内周に適合する径を有する略円筒状の部材である。シャフト２の回動面表面（外周面）２ａには、軸方向に亘って延在するスプリングピン押入溝２ｂ（１箇所）と、潤滑油貯蔵用の溝２ｃ（２箇所）との３条の溝が配設されている。また、シャフト２の両端には、表示装置の回動側の部材、例えば、ノート型パーソナルコンピュータのディスプレイ側筐体に、取り付けるための切り欠き部２ｄ（各２箇所）及びネジ穴２ｅ（各４箇所）が配設されている。
【００１４】
スプリングピン３は、軸方向に延びるスリット３ｂを有するほか、両端にシャフト２のスプリングピン押入溝２ｂへの挿入を容易とするための面取り部３ｃが設けられている。なお、前記スプリングピン３として、図１に示したスリット３ｂが直線状のものだけでなく、スリット３ｂが波型のものも使用可能であるし、薄板を渦巻状に巻いて形成したタイプのスプリングピンを用いることもできる。
【００１５】
上記したシャフト２に潤滑油を塗布した後、ケース１に挿入し、シャフト２の側面に開口するスプリングピン押入溝２ｂに、スプリングピン３を押入（収納）することによって、チルトヒンジを組み立てることができる。
【００１６】
続いて、図２を参照して、フリクショントルクの発生機構について説明する。図２は、本実施形態に係るチルトヒンジの軸方向断面図（ａ）と径方向断面図（ｂ）である。図２（ａ）、（ｂ）に示されたように、組み立てた状態において、スプリングピン３のバネ力によって、シャフト２の外周面２ａ及びスプリングピン３の外周面３ａと、ケース１の内周面１ａが互いに押しつけられる結果、シャフトの軸方向長さとスプリングピン３のバネ圧に応じたフリクショントルクが発生する。
【００１７】
例えば、ノート型パーソナルコンピュータのキーボード側筐体（図示せず）にケース１を取り付け、ディスプレイ側筐体にシャフト２を取り付けた場合において、ディスプレイ側筐体を、別途規制される回動可能範囲（例えば、９０°〜１５０°）で回動させ、任意の角度で停止保持させることが可能となる。
【００１８】
同様に、テレビジョン装置の台座側（図示せず）にケース１を取り付け、テレビジョン装置の表示装置本体側にシャフト２を取り付けた場合においても、表示装置本体を、別途規制される回動可能範囲（−５°〜１０°）で回動させ、任意の角度で停止保持させることが可能となる。
【００１９】
また、大型・大重量のテレビジョン装置の俯仰方向のヒンジ等、チルトヒンジの大きさに対して相対的に大きなフリクショントルクが要求される場合は、上記したチルトヒンジを複数配設すること、チルトヒンジの軸方向長を長くとること、シャフト２の端部にスプリングワッシャ等を適宜配設し、シャフトを圧接することにより、対応することができる。また、バネ力の大きいスプリングピンを使用することや、図３に示すようにスプリングピン３の内側中空部に、より小口径のスプリングピン４（第２のスプリングピン）を押入可能とし、スプリングピン３の付勢力をアシストすることのできる構成とすることも有効である。
【００２０】
以上のように、省スペース性が高く、十分なフリクショントルクを発生することのできるチルトヒンジが実現される。また、上記構成よりなるチルトヒンジは、ケース１にシャフト２を挿入して、スプリングピン３を圧入するだけで組み立てが可能であり、工数面、材料及び組み立てコスト面でも有利である。
【００２１】
続いて、上記第１の実施形態にそれぞれ節度発生機構、吸込み機構を付加した他の実施形態について図面を参照して詳細に説明する。以下、上記第１の実施形態で説明した事項は省略し、その相違する部分についてのみ説明する。
【００２２】
図４は、本発明の第２の実施形態に係るチルトヒンジのケースの断面図（ａ）とシャフトの断面図（ｂ）である。図４を参照すると、ケース１の内周面１ａに、少なくともスプリングピン３がはまり込むに足る長さ（軸方向幅）と、幅を有するクリック溝１ｃが設けられている。なお、図４の（ｂ）に示したとおり、シャフト２の構成は、上記第１の実施形態のものと同様である。
【００２３】
図５は、本実施形態に係るチルトヒンジの動作を説明するための図であり、図５の（ａ）〜（ｃ）は、それぞれチルトヒンジを第１の停止角度（０°）から第２の停止角度（９０°）まで回動させた状態を表している。
【００２４】
図５の（ａ）の位置では、スプリングピン３の外周の一部が図５上方に配置されたクリック溝１ｃにはまり込んでおり、シャフト２の回動が規制された状態となっている。図５の（ａ）の状態から、回動側の部材に所定の力を加えることによって、スプリングピン３がシャフト２側に押し込まれクリック溝１ｃを脱して、図５の（ｂ）の状態となる。
【００２５】
そして、図５の（ｃ）の位置に至ると、スプリングピン３の外周の一部が図５左方に配置されたクリック溝１ｃにはまり込み、再び、シャフト２の回動が規制された状態となる。
【００２６】
以上のように、上記クリック溝１ｃを備えた構成によれば、所望の角度位置でシャフト２を停止させることが可能となる。また、クリック溝１ｃの幅及び深さを適宜変更することによって、回動抵抗を調整することも可能である。
【００２７】
また、上記のようにケース１にクリック溝１ｃを配設することにより、シャフト２のスプリングピン押入溝２ｂとクリック溝１ｃとを対向させたスプリングピン３を押入しやすい状態（図５の（ａ）又は（ｃ））にしてから、スプリングピン３を押入する手順を取ることが可能となり、チルトヒンジの組み立て作業が一層容易化される。
【００２８】
図６は、本発明の第３の実施形態に係るチルトヒンジのケースの断面図（ａ）とシャフトの断面図（ｂ）である。図６を参照すると、ケース１の内周面１ａの所定角度範囲ｗにわたって、第１の実施形態のケース１の内周面より窪んだ凹部１ｄが形成されている。
【００２９】
凹部１ｄは、略レの字状に緩やかな傾斜面と急斜面とから構成され、かつ、スプリングピン３の長さ以上の回転軸方向の奥行き（幅）を有しており、前記緩やかな傾斜面は、フリクショントルクが漸増乃至漸減する区間を構成している。
【００３０】
図７は、上記第３の実施形態同様に緩やかな傾斜面を有するチルトヒンジの動作を説明するための図であり、図７の（ａ）〜（ｃ）は、それぞれチルトヒンジを０°から−９０°まで回動させた状態を表している。
【００３１】
図７の（ａ）の位置では、スプリングピン３がシャフト２側に押し込まれ、一定のフリクショントルクが発生した状態となっている。図７の（ｂ）の位置でスプリングピン３の外周の一部が凹部１ｄの入り口に差し掛かり、スプリングピン３がケース１側に吸い込まれ始め、シャフト２を反時計回りに回動させる方向に付勢力が発生する。
【００３２】
その後、図７の（ｃ）の位置に至るまで、スプリングピン３がケース１側に吸い込まれていく間、絶えずフリクショントルクが漸減していくため、図７の（ａ）の位置よりも小さな力でシャフト２を反時計回りに回動させることが可能となる。反対に、上記区間でシャフト２を時計回りに回動させる場合は、スプリングピン３を押し込む分、上記反時計回りに回動させる場合よりも大きな力が必要となる。
【００３３】
そして、最終的に図７の（ｃ）の位置に至ると、スプリングピン３が前記傾斜面の最深部に当接した状態となり、シャフト２の回動が規制される。
【００３４】
以上のように、本実施形態によれば、前記緩やかな傾斜面にスプリングピン３が当接する範囲において、回動方向に応じ回動抵抗を変化させ、また、凹部最深部において回動角度を保持することが可能となる。また、このように凹部１ｄを備えたケース１においても、シャフト２のスプリングピン押入溝２ｂと凹部１ｄとを対向させたスプリングピン３を押入しやすい状態（図７の（ｃ））にしてから、スプリングピン３を押入する手順を取ることが可能となり、チルトヒンジの組み立て作業が一層容易化されるという利点がある。
【００３５】
以上本発明の好適な実施形態を説明したが、本発明の技術的範囲は、上述した各実施形態に限定されるものではなく、シャフトと、ケース（部材）と、スプリングピンとからなる構成において、シャフト側にスプリングピンを配置するという本発明の要旨を逸脱しない範囲で、各種の変形・置換をなしうることが可能であることはいうまでもない。例えば、上記した各実施形態に例示したシャフト２とスプリングピン３の径は、チルトヒンジが使用される箇所に応じて変更することが可能であるし、スプリングピン押入溝２ｂを複数配設し、スプリングピン３を複数用いる構成とすることも可能である。
【００３６】
また例えば、上記した実施形態では、シャフト２に潤滑油貯蔵用の溝２ｃを設けた構成を例示したが、上記潤滑油貯蔵用の溝２ｃに代えて油溜りを設けても良いし、その他シャフト２の端部に、オイルシール用のＯリングのシール等を嵌装するための周溝を設ける等各種変形態様を採りうることはもちろんである。
【図面の簡単な説明】
【００３７】
【図１】本発明の第１の実施形態に係るチルトヒンジの分解斜視図である。
【図２】本発明の第１の実施形態に係るチルトヒンジの軸方向断面図（ａ）と径方向断面図（ｂ）である。
【図３】本発明の第１の実施形態を第２のスプリングピンを押入するタイプに変形したチルトヒンジの分解斜視図である。
【図４】本発明の第２の実施形態に係るチルトヒンジのケースの断面図（ａ）とシャフトの断面図（ｂ）である。
【図５】本発明の第２の実施形態に係るチルトヒンジの動作を説明するための拡大断面図である。
【図６】本発明の第３の実施形態に係るチルトヒンジのケースの断面図（ａ）とシャフトの断面図（ｂ）である。
【図７】本発明の第３の実施形態を変形したチルトヒンジの動作を説明するための拡大断面図である。
【図８】従来のチルトヒンジを説明するための図である。
【図９】従来のチルトヒンジを説明するための図である。
【図１０】従来のチルトヒンジを説明するための図である。
【図１１】従来のチルトヒンジを説明するための図である。
【符号の説明】
【００３８】
１  ケース
１ａ  ケース内周面（フリクショントルク発生部）
１ｂ  切り欠き部
１ｃ  クリック溝
１ｄ  凹部
２  シャフト
２ａ  シャフト外周面（フリクショントルク発生部）
２ｂ  スプリングピン押入溝
２ｃ  （潤滑油貯蔵用）溝
２ｄ  切り欠き部
２ｅ  ネジ穴
３  スプリングピン
３ａ  スプリングピン外周面（フリクショントルク発生部）
３ｂ  スリット
３ｃ  面取り部
４  （第２）スプリングピン
１０１  １２０  スプリングピン
１０２  取付部材
１０３  １１８  支持部材
１１６  取付部材
１１７  筒体（ケース）
１１９  回転シャフト
１２１  ワッシャ
【図１】
2007107690.tif 000003
【図２】
2007107690.tif 000004
【図３】
2007107690.tif 000005
【図４】
2007107690.tif 000006
【図５】
2007107690.tif 000007
【図６】
2007107690.tif 000008
【図７】
2007107690.tif 000009
【図８】
2007107690.tif 000010
【図９】
2007107690.tif 000011
【図１０】
2007107690.tif 000012
【図１１】
2007107690.tif 000013